(57)【要約】      （修正有）【課題】  セキュリティを設定したフォルダは、表示上見えなくし、プライバシーの保護をする。【解決手段】  受信メール保存用の受信フォルダが複数個備えられ,セキュリティ処理用の暗証番号を、記憶部１に保存する。メニューキーを操作し、「セキュリティ設定・解除」画面を表示部４に表示させる。暗証番号を入力し、スクロールキーにより受信フォルダを選択し、「セキュリティ設定・解除用受信フォルダ一覧」を表示される。この受信フォルダ番号にマークが付けられる。通常の「受信フォルダ一覧」では、このセキュリティ処理された受信フォルダ番号は非表示となる。セキュリティ処理を解除する場合は、「セキュリティ設定・解除」画面を表示させ、暗証番号を入力し、受信フォルダを選択する。「セキュリティ設定・解除用受信フォルダ一覧」には、セキュリティ処理された受信フォルダ番号にマークが付いて表示される。【選択図】  図１
2005115492.tif 000002
【特許請求の範囲】
【請求項１】
メール機能を有する携帯電話機であって、
未送信を含む送信メールを保存する複数の送信フォルダと、
受信メールを保存する複数の受信フォルダと、
セキュリティを設定する対象が前記送信フォルダであるか前記受信フォルダであるかをユーザが選択する、またはセキュリティが設定されそのセキュリティを解除する対象が前記送信フォルダであるか前記受信フォルダであるかを前記ユーザが選択するセキュリティ設定・解除手段と、
前記セキュリティ設定・解除手段で選択された前記送信フォルダまたは前記受信フォルダの前記複数の送信フォルダ全てまたは前記複数の受信フォルダ全てを表示するセキュリティ設定・解除用フォルダ一覧表示手段と、
前記セキュリティ設定・解除用フォルダ一覧表示手段で表示された複数のフォルダの内、少なくとも１個が前記ユーザによって選択されセキュリティ設定対象フォルダとする、または複数のフォルダの内、少なくとも１個が前記ユーザによって選択されセキュリティ解除対象フォルダとするセキュリティ設定・解除フォルダ選択手段と、
前記複数の送信フォルダまたは前記複数の受信フォルダを一覧形式で表示するフォルダ一覧表示手段と、を有し、
前記セキュリティ設定・解除フォルダ選択手段によってセキュリティ設定と選択されたフォルダには、マークを付け、前記セキュリティ設定・解除用フォルダ一覧表示手段には前記フォルダを表示し、前記フォルダ一覧表示手段には非表示とし、
前記セキュリティ設定・解除フォルダ選択手段によってセキュリティ設定の解除と選択されたフォルダからはマークを削除し、前記セキュリティ設定・解除用フォルダ一覧表示手段、および前記フォルダ一覧表示手段にはともに前記フォルダを表示することを特徴とする携帯電話機。
【請求項２】
前記セキュリティ設定・解除用フォルダ一覧表示手段に表示された前記複数の送信または受信フォルダは、その送信または受信フォルダが選択されても、そのフォルダ内のメールは表示されず、前記フォルダ一覧表示手段に表示された前記複数の送信または受信フォルダは、その送信または受信フォルダが選択された場合に、選択されたフォルダ内のメールは表示されることを特徴とする請求項１記載の携帯電話機。
【請求項３】
前記セキュリティ設定・解除手段において、セキュリティを設定する対象として前記送信フォルダが選択された場合、
前記セキュリティ設定・解除用フォルダ一覧表示手段には、前記複数の送信フォルダの全てを表示し、前記ユーザの指示により、セキュリティ対象となる前記複数の送信フォルダの内少なくとも１個の送信フォルダが選択され、セキュリティ対象として選択された前記送信フォルダには、セキュリティが設定されたことを示すマークが付けられ、
前記フォルダ一覧表示手段においては、前記セキュリティが設定されたマークが付けられ送信フォルダは、送信フォルダ一覧には、非表示とし、
前記セキュリティ設定・解除手段において、セキュリティを解除する対象として前記送信フォルダが選択された場合、
前記セキュリティ設定・解除用フォルダ一覧表示手段には、セキュリティが設定されマークが付けられた前記送信フォルダを含む前記複数の送信フォルダの全てが表示され、前記ユーザの指示により、セキュリティ解除対象となる送信フォルダが選択され、セキュリティ解除対象として選択された前記送信フォルダはセキュリティ設定マークが削除され、前記セキュリティが解除された送信フォルダは、前記送信フォルダ一覧に、再度表示されることを特徴とする請求項１または２に記載の携帯電話機。
【請求項４】
前記セキュリティ設定・解除手段において、セキュリティを設定する対象として前記受信フォルダが選択された場合、
前記セキュリティ設定・解除用フォルダ一覧表示手段には、前記複数の受信フォルダの全てを表示し、前記ユーザの指示により、セキュリティ対象となる前記複数の受信フォルダの内少なくとも１個の受信フォルダが選択され、セキュリティ対象として選択された前記受信フォルダには、セキュリティが設定されたことを示すマークが付けられ、
前記フォルダ一覧表示手段においては、前記セキュリティが設定されたマークが付けられ受信フォルダは、受信フォルダ一覧には、非表示とし、
前記セキュリティ設定・解除手段において、セキュリティを解除する対象として前記受信フォルダが選択された場合、
前記セキュリティ設定・解除用フォルダ一覧表示手段には、セキュリティが設定されマークが付けられた前記受信フォルダを含む前記複数の受信フォルダの全てが表示され、前記ユーザの指示により、セキュリティ解除対象となる受信フォルダが選択され、セキュリティ解除対象として選択された前記受信フォルダはセキュリティ設定マークが削除され、前記セキュリティが解除された受信送信フォルダは、前記受信フォルダ一覧に、再度表示されることを特徴とする請求項１または２に記載の携帯電話機。
【請求項５】
前記ユーザは、セキュリティ設定・解除用の暗証番号を事前に、記憶部に保存し、
前記ユーザが、前記セキュリティ設定・解除手段においてセキュリティ設定または解除の対象となる受信または送信フォルダを選択する場合に、
暗証番号を入力し、この暗証番号が事前に前記記憶部に保存した前記暗証番号と一致した時のみ、前記セキュリティ設定・解除手段が動作することを特徴とする請求項１から４のいずれか１項に記載の携帯電話機。
【請求項６】
前記ユーザは、セキュリティ対象とする送信メールを、前記複数の送信フォルダの少なくとも１個の送信フォルダを選択し、その選択した送信フォルダに保存し、また、セキュリティ対象とする受信メールを、前記複数の受信フォルダの少なくとも１個の受信フォルダを選択し、その選択した受信フォルダに保存することを特徴とする請求項１から４のいずれか１項に記載の携帯電話機。
【請求項７】
メール機能を有する携帯電話機のメールセキュリティ処理方法であって、
未送信を含む送信メールを複数の送信フォルダに保存する送信メール保存工程と、
受信メールを複数の受信フォルダに保存する受信メール保存工程と、
セキュリティを設定する対象が前記送信フォルダであるか前記受信フォルダであるかをユーザが選択する、またはセキュリティが設定されそのセキュリティを解除する対象が前記送信フォルダであるか前記受信フォルダであるかを前記ユーザが選択するセキュリティ設定・解除工程と、
前記セキュリティ設定・解除工程で選択された前記送信フォルダまたは前記受信フォルダの前記複数の送信フォルダ全てまたは前記複数の受信フォルダ全てを表示するセキュリティ設定・解除用フォルダ一覧表示工程と、
前記セキュリティ設定・解除用フォルダ一覧表示工程で表示された複数のフォルダの内、少なくとも１個が前記ユーザによって選択されセキュリティ設定対象フォルダとする、または複数のフォルダの内、少なくとも１個が前記ユーザによって選択されセキュリティ解除対象フォルダとするセキュリティ設定・解除フォルダ選択工程と、
前記複数の送信フォルダまたは前記複数の受信フォルダを一覧形式で表示するフォルダ一覧表示工程と、を有し、
前記セキュリティ設定・解除フォルダ選択工程によってセキュリティ設定と選択されたフォルダには、マークを付け、前記セキュリティ設定・解除用フォルダ一覧表示工程で前記フォルダを表示し、前記フォルダ一覧表示工程では非表示とし、
前記セキュリティ設定・解除フォルダ選択工程によってセキュリティ設定の解除と選択されたフォルダからはマークを削除し、前記セキュリティ設定・解除用フォルダ一覧表示工程、および前記フォルダ一覧表示工程ではともに前記フォルダを表示することを特徴とするメールセキュリティ処理方法。
【請求項８】
前記セキュリティ設定・解除用フォルダ一覧表示工程において表示された前記複数の送信または受信フォルダは、その送信または受信フォルダが選択されても、そのフォルダ内のメールは表示されず、前記フォルダ一覧表示工程において表示された前記複数の送信または受信フォルダは、その送信または受信フォルダが選択された場合に、選択されたフォルダ内のメールは表示されることを特徴とする請求項７記載のメールセキュリティ処理方法。
【請求項９】
前記セキュリティ設定・解除工程において、セキュリティを設定する対象として前記送信フォルダが選択された場合、
前記セキュリティ設定・解除用フォルダ一覧表示工程においては、前記複数の送信フォルダの全てを表示し、前記ユーザの指示により、セキュリティ対象となる前記複数の送信フォルダの内少なくとも１個の送信フォルダが選択され、セキュリティ対象として選択された前記送信フォルダには、セキュリティが設定されたことを示すマークが付けられ、
前記フォルダ一覧表示工程においては、前記セキュリティが設定されたマークが付けられ送信フォルダは、送信フォルダ一覧には、非表示とし、
前記セキュリティ設定・解除工程において、セキュリティを解除する対象として前記送信フォルダが選択された場合、
前記セキュリティ設定・解除用フォルダ一覧表示工程においては、セキュリティが設定されマークが付けられた前記送信フォルダを含む前記複数の送信フォルダの全てが表示され、前記ユーザの指示により、セキュリティ解除対象となる送信フォルダが選択され、セキュリティ解除対象として選択された前記送信フォルダはセキュリティ設定マークが削除され、前記セキュリティが解除された送信フォルダは、前記送信フォルダ一覧に、再度表示されることを特徴とする請求項７または８に記載のメールセキュリティ処理方法。
【請求項１０】
前記セキュリティ設定・解除手工程において、セキュリティを設定する対象として前記受信フォルダが選択された場合、
前記セキュリティ設定・解除用フォルダ一覧表示工程においては、前記複数の受信フォルダの全てを表示し、前記ユーザの指示により、セキュリティ対象となる前記複数の受信フォルダの内少なくとも１個の受信フォルダが選択され、セキュリティ対象として選択された前記受信フォルダには、セキュリティが設定されたことを示すマークが付けられ、
前記フォルダ一覧表示工程においては、前記セキュリティが設定されたマークが付けられ受信フォルダは、受信フォルダ一覧には、非表示とし、
前記セキュリティ設定・解除工程において、セキュリティを解除する対象として前記受信フォルダが選択された場合、
前記セキュリティ設定・解除用フォルダ一覧表示工程においては、セキュリティが設定されマークが付けられた前記受信フォルダを含む前記複数の受信フォルダの全てが表示され、前記ユーザの指示により、セキュリティ解除対象となる受信フォルダが選択され、セキュリティ解除対象として選択された前記受信フォルダはセキュリティ設定マークが削除され、前記セキュリティが解除された受信送信フォルダは、前記受信フォルダ一覧に、再度表示されることを特徴とする請求項７または８に記載のメールセキュリティ処理方法。
【請求項１１】
前記ユーザは、セキュリティ設定・解除用の暗証番号を事前に、記憶部に保存し、
前記ユーザが、前記セキュリティ設定・解除手段においてセキュリティ設定または解除の対象となる受信または送信フォルダを選択する場合に、
暗証番号を入力し、この暗証番号が事前に前記記憶部に保存した前記暗証番号と一致した時のみ、前記セキュリティ設定・解除手段が動作することを特徴とする請求項７から１０のいずれか１項に記載のメールセキュリティ処理方法。
【請求項１２】
前記ユーザは、セキュリティ対象とする送信メールを、前記複数の送信フォルダの少なくとも１個の送信フォルダを選択し、その選択した送信フォルダに保存し、また、セキュリティ対象とする受信メールを、前記複数の受信フォルダの少なくとも１個の受信フォルダを選択し、その選択した受信フォルダに保存することを特徴とする請求項７から１０のいずれか１項に記載のメールセキュリティ処理方法。
【発明の詳細な説明】
【技術分野】
【０００１】
本発明は、携帯電話機およびそのメールセキュリティ処理方法に関し、特に、送信メールおよび受信メールのセキュリティを確保する携帯電話機およびメールセキュリティ処理方法に関する。
【背景技術】
【０００２】
近年、携帯電話機の普及に伴い、携帯電話機を用いたメールの送受信が、広く行われている。メールは、ビジネスに使用されるものも、プライベートに使用されるものもあり、あるメールについては、第３者には見られたくないものもある。
【０００３】
この見られたくないメールを第３者に見られないようにする従来技術が特許文献１および２に開示されている。
【特許文献１】特開２００２−１４９５７０号公報
【特許文献２】特開２００２−３７３１４０号公報
【０００４】
特許文献１の「携帯電話機及びメール表示制御方法」では、使用者の指定により、メールをロック付き（見られたくないメール）とロック付きでないメールに分類し、暗証番号を使用し、ロック付きメールを格納し、また、暗証番号を使用し、ロックを解除するものである。また、ロック付きメール、およびロック付きでないメールの両者とも表示するものであります。
【０００５】
また、特許文献２の「携帯電話装置」では、第３者に見られたくないメールをシークレットメールとし、シークレットメールは、一覧表示には、表示せず、また、指定したメールアドレスからのメールは、全てシークレットメールとすることができる、としている。
【０００６】
しかしながら、特許文献１の発明では、ロック付きメールも、ロック付きでないメールも、表示するものであり、第３者が、意識して、携帯電話機を見た場合は、ロック付きでないメールが有ることにより、不快感を持たれることが考えられる。また、ロック付きメールも、ロック付きでないメールも、１通単位で指定している。
【０００７】
また、特許文献２の発明では、あるメールアドレスに関しては、一括してシークレットメールとすることもできるが、通常は、メール１通単位でシークレットメールと指定し、保存している。
【発明の開示】
【発明が解決しようとする課題】
【０００８】
本発明は、上記問題点に鑑みてなされたものであり、フォルダ単位でセキュリティを設定し、かつ、セキュリティを設定したフォルダは、表示上見えなくすることを可能とし、プライバシーの保護を確保した携帯電話機およびメールセキュリティ処理方法を提供することを目的とする。
【課題を解決するための手段】
【０００９】
上記目的を達成するために、請求項１記載の発明は、メール機能を有する携帯電話機であって、未送信を含む送信メールを保存する複数の送信フォルダと、受信メールを保存する複数の受信フォルダと、セキュリティを設定する対象が送信フォルダであるか受信フォルダであるかをユーザが選択する、またはセキュリティが設定されそのセキュリティを解除する対象が送信フォルダであるか受信フォルダであるかをユーザが選択するセキュリティ設定・解除手段と、セキュリティ設定・解除手段で選択された送信フォルダまたは受信フォルダの複数の送信フォルダ全てまたは複数の受信フォルダ全てを表示するセキュリティ設定・解除用フォルダ一覧表示手段と、セキュリティ設定・解除用フォルダ一覧表示手段で表示された複数のフォルダの内、少なくとも１個がユーザによって選択されセキュリティ設定対象フォルダとする、または複数のフォルダの内、少なくとも１個がユーザによって選択されセキュリティ解除対象フォルダとするセキュリティ設定・解除フォルダ選択手段と、複数の送信フォルダまたは複数の受信フォルダを一覧形式で表示するフォルダ一覧表示手段と、を有し、セキュリティ設定・解除フォルダ選択手段によってセキュリティ設定と選択されたフォルダには、マークを付け、セキュリティ設定・解除用フォルダ一覧表示手段にはフォルダを表示し、フォルダ一覧表示手段には非表示とし、セキュリティ設定・解除フォルダ選択手段によってセキュリティ設定の解除と選択されたフォルダからはマークを削除し、セキュリティ設定・解除用フォルダ一覧表示手段、およびフォルダ一覧表示手段にはともにフォルダを表示することを特徴とする。
【００１０】
請求項２記載の発明は、請求項１記載の発明において、セキュリティ設定・解除用フォルダ一覧表示手段に表示された複数の送信または受信フォルダは、その送信または受信フォルダが選択されても、そのフォルダ内のメールは表示されず、フォルダ一覧表示手段に表示された複数の送信または受信フォルダは、その送信または受信フォルダが選択された場合に、選択されたフォルダ内のメールは表示されることを特徴とする。
【００１１】
請求項３記載の発明は、請求項１または２に記載の発明において、セキュリティ設定・解除手段において、セキュリティを設定する対象として送信フォルダが選択された場合、セキュリティ設定・解除用フォルダ一覧表示手段には、複数の送信フォルダの全てを表示し、ユーザの指示により、セキュリティ対象となる複数の送信フォルダの内少なくとも１個の送信フォルダが選択され、セキュリティ対象として選択された送信フォルダには、セキュリティが設定されたことを示すマークが付けられ、フォルダ一覧表示手段においては、セキュリティが設定されたマークが付けられ送信フォルダは、送信フォルダ一覧には、非表示とし、セキュリティ設定・解除手段において、セキュリティを解除する対象として送信フォルダが選択された場合、セキュリティ設定・解除用フォルダ一覧表示手段には、セキュリティが設定されマークが付けられた送信フォルダを含む複数の送信フォルダの全てが表示され、ユーザの指示により、セキュリティ解除対象となる送信フォルダが選択され、セキュリティ解除対象として選択された送信フォルダはセキュリティ設定マークが削除され、セキュリティが解除された送信フォルダは、送信フォルダ一覧に、再度表示されることを特徴とする。
【００１２】
請求項４記載の発明は、請求項１または２に記載の発明において、セキュリティ設定・解除手段において、セキュリティを設定する対象として受信フォルダが選択された場合、セキュリティ設定・解除用フォルダ一覧表示手段には、複数の受信フォルダの全てを表示し、ユーザの指示により、セキュリティ対象となる複数の受信フォルダの内少なくとも１個の受信フォルダが選択され、セキュリティ対象として選択された受信フォルダには、セキュリティが設定されたことを示すマークが付けられ、フォルダ一覧表示手段においては、セキュリティが設定されたマークが付けられた受信フォルダは、受信フォルダ一覧には、非表示とし、セキュリティ設定・解除手段において、セキュリティを解除する対象として受信フォルダが選択された場合、セキュリティ設定・解除用フォルダ一覧表示手段には、セキュリティが設定されマークが付けられた受信フォルダを含む複数の受信フォルダの全てが表示され、ユーザの指示により、セキュリティ解除対象となる受信フォルダが選択され、セキュリティ解除対象として選択された受信フォルダはセキュリティ設定マークが削除され、セキュリティが解除された受信送信フォルダは、受信フォルダ一覧に、再度表示されることを特徴とする。
【００１３】
請求項５記載の発明は、請求項１から４のいずれか１項に記載の発明において、ユーザは、セキュリティ設定・解除用の暗証番号を事前に、記憶部に保存し、ユーザが、セキュリティ設定・解除手段においてセキュリティ設定または解除の対象となる受信または送信フォルダを選択する場合に、暗証番号を入力し、この暗証番号が事前に記憶部に保存した暗証番号と一致した時のみ、セキュリティ設定・解除手段が動作することを特徴とする。
【００１４】
請求項６記載の発明は、請求項１から４のいずれか１項に記載の発明において、ユーザは、セキュリティ対象とする送信メールを、複数の送信フォルダの少なくとも１個の送信フォルダを選択し、その選択した送信フォルダに保存し、また、セキュリティ対象とする受信メールを、複数の受信フォルダの少なくとも１個の受信フォルダを選択し、その選択した受信フォルダに保存することを特徴とする。
【００１５】
請求項７記載の発明は、メール機能を有する携帯電話機のメールセキュリティ処理方法であって、未送信を含む送信メールを複数の送信フォルダに保存する送信メール保存工程と、受信メールを複数の受信フォルダに保存する受信メール保存工程と、セキュリティを設定する対象が送信フォルダであるか受信フォルダであるかをユーザが選択する、またはセキュリティが設定されそのセキュリティを解除する対象が送信フォルダであるか受信フォルダであるかをユーザが選択するセキュリティ設定・解除工程と、セキュリティ設定・解除工程で選択された送信フォルダまたは受信フォルダの複数の送信フォルダ全てまたは複数の受信フォルダ全てを表示するセキュリティ設定・解除用フォルダ一覧表示工程と、セキュリティ設定・解除用フォルダ一覧表示工程で表示された複数のフォルダの内、少なくとも１個がユーザによって選択されセキュリティ設定対象フォルダとする、または複数のフォルダの内、少なくとも１個がユーザによって選択されセキュリティ解除対象フォルダとするセキュリティ設定・解除フォルダ選択工程と、複数の送信フォルダまたは複数の受信フォルダを一覧形式で表示するフォルダ一覧表示工程と、を有し、セキュリティ設定・解除フォルダ選択工程によってセキュリティ設定と選択されたフォルダには、マークを付け、セキュリティ設定・解除用フォルダ一覧表示工程でフォルダを表示し、フォルダ一覧表示工程では非表示とし、セキュリティ設定・解除フォルダ選択工程によってセキュリティ設定の解除と選択されたフォルダからはマークを削除し、セキュリティ設定・解除用フォルダ一覧表示工程、およびフォルダ一覧表示工程ではともにフォルダを表示することを特徴とする。
【００１６】
請求項８記載の発明は、請求項７記載の発明において、セキュリティ設定・解除用フォルダ一覧表示工程において表示された複数の送信または受信フォルダは、その送信または受信フォルダが選択されても、そのフォルダ内のメールは表示されず、フォルダ一覧表示工程において表示された複数の送信または受信フォルダは、その送信または受信フォルダが選択された場合に、選択されたフォルダ内のメールは表示されることを特徴とする。
【００１７】
請求項９記載の発明は、請求項７または８に記載の発明において、セキュリティ設定・解除工程において、セキュリティを設定する対象として送信フォルダが選択された場合、セキュリティ設定・解除用フォルダ一覧表示工程においては、複数の送信フォルダの全てを表示し、ユーザの指示により、セキュリティ対象となる複数の送信フォルダの内少なくとも１個の送信フォルダが選択され、セキュリティ対象として選択された送信フォルダには、セキュリティが設定されたことを示すマークが付けられ、フォルダ一覧表示工程においては、セキュリティが設定されたマークが付けられ送信フォルダは、送信フォルダ一覧には、非表示とし、セキュリティ設定・解除工程において、セキュリティを解除する対象として送信フォルダが選択された場合、セキュリティ設定・解除用フォルダ一覧表示工程においては、セキュリティが設定されマークが付けられた送信フォルダを含む複数の送信フォルダの全てが表示され、ユーザの指示により、セキュリティ解除対象となる送信フォルダが選択され、セキュリティ解除対象として選択された送信フォルダはセキュリティ設定マークが削除され、セキュリティが解除された送信フォルダは、送信フォルダ一覧に、再度表示されることを特徴とする。
【００１８】
請求項１０記載の発明は、請求項７または８に記載の発明において、セキュリティ設定・解除手工程において、セキュリティを設定する対象として受信フォルダが選択された場合、セキュリティ設定・解除用フォルダ一覧表示工程においては、複数の受信フォルダの全てを表示し、ユーザの指示により、セキュリティ対象となる複数の受信フォルダの内少なくとも１個の受信フォルダが選択され、セキュリティ対象として選択された受信フォルダには、セキュリティが設定されたことを示すマークが付けられ、フォルダ一覧表示工程においては、セキュリティが設定されたマークが付けられ受信フォルダは、受信フォルダ一覧には、非表示とし、セキュリティ設定・解除工程において、セキュリティを解除する対象として受信フォルダが選択された場合、セキュリティ設定・解除用フォルダ一覧表示工程においては、セキュリティが設定されマークが付けられた受信フォルダを含む複数の受信フォルダの全てが表示され、ユーザの指示により、セキュリティ解除対象となる受信フォルダが選択され、セキュリティ解除対象として選択された受信フォルダはセキュリティ設定マークが削除され、セキュリティが解除された受信送信フォルダは、受信フォルダ一覧に、再度表示されることを特徴とする。
【００１９】
請求項１１記載の発明は、請求項７から１０のいずれか１項に記載の発明において、ユーザは、セキュリティ設定・解除用の暗証番号を事前に、記憶部に保存し、ユーザが、セキュリティ設定・解除手段においてセキュリティ設定または解除の対象となる受信または送信フォルダを選択する場合に、暗証番号を入力し、この暗証番号が事前に記憶部に保存した暗証番号と一致した時のみ、セキュリティ設定・解除手段が動作することを特徴とする。
【００２０】
請求項１２記載の発明は、請求項７から１０いずれか１項に記載の発明において、ユーザは、セキュリティ対象とする送信メールを、複数の送信フォルダの少なくとも１個の送信フォルダを選択し、その選択した送信フォルダに保存し、また、セキュリティ対象とする受信メールを、複数の受信フォルダの少なくとも１個の受信フォルダを選択し、その選択した受信フォルダに保存することを特徴とする。
【発明の効果】
【００２１】
携帯電話機およびメールセキュリティ処理方法において、第３者に見られたくない送信メールおよび受信メールをフォルダにまとめて保存し、そのフォルダにセキュリティ処理を行い、通常の「送信フォルダ一覧」および「受信フォルダ一覧」上でセキュリティ設定処理したメールフォルダを非表示とすることで、プライバシーの保護機能を高めることができる。また、フォルダ単位でセキュリティ処理を行うことで、操作を簡単にすることができる。
【発明を実施するための最良の形態】
【００２２】
図面を参照し、本発明の実施形態を詳細に説明する。
【００２３】
本発明の携帯電話機においては、メールフォルダセキュリティ設定時にセキュリティ設定されたメールフォルダを画面上に表示しないことにより、プライバシーの保護機能を高めている。すなわち、複数のメールフォルダの内、少なくとも、ある１つのメールフォルダを画面上に非表示とする。これにより、メールフォルダ内に保存されたメールのセキュリティが確保される。
【００２４】
図１は、本発明の実施形態である携帯電話機の構成を示すブロック図である。図１に示すように、本発明の実施形態である携帯電話機は、記憶部１、制御部２、無線部３、表示部４、操作部５、音声処理部６を有し構成される。無線部３、表示部４、操作部５、および音声処理部６の構成は、従来の携帯電話機の構成と同じである。本発明の実施形態においては、記憶部１および制御部２によって、メールセキュリティ処理が行われる。
【００２５】
無線部３は、アンテナを介し、基地局（図示せず）との間で、無線通信を行い、音声、画像、メール等の無線送受信信号を処理する。操作部５は、数字キー、メニューキー、決定キー、スクロールキー等の複数のキーを有し、ユーザによるメニュー操作を含むキー操作を処理する。表示部４は、メニュー画面、着信表示、メール一覧、メール本文等を表示する。音声処理部６は、通話音声、着信音等の音信号を処理し、スピーカ（図示せず）より音声および音を出力し、また、スピーカ（図示せず）より、音声等を入力する。記憶部１は、電話番号、送受信メールの詳細情報等を保存すると共に、メールフォルダ等を記憶する。さらに、記憶部１は、本発明のメールセキュリティ処理のプログラムを記憶する。制御部２は、携帯電話機の各部を制御すると共に、操作部５からの入力に基き、記憶部１に記憶されているセキュリティ処理のプログラムを制御する。
【００２６】
記憶部１には、送信メール保存用の送信フォルダが複数個、受信メール保存用の受信フォルダが複数個備えられている。ユーザは、送信メールおよび受信メールを、ユーザ自身の分類基準に基き、送信フォルダ番号、受信フォルダ番号を指定し、そのフォルダ番号に保存する。さらに、ユーザは、メールのセキュリティ処理用の暗証番号を、記憶部１に保存する。さらに、送信メールに関しては、未送信のメールも、フォルダを指定して保存されている限り対象となる。
【００２７】
本発明の実施形態において、送信メールのセキュリティ処理も受信メールのセキュリティ処理も基本的に同じであるが、まず、受信メールのセキュリティ処理について説明する。
【００２８】
図を参照し、受信メールのセキュリティ処理の基本を説明する。ここでは、セキュリティ処理をしたいメールが、ユーザによって、記憶部１の受信フォルダのフォルダ、例えば、フォルダ５に保存されているものとする。また、フォルダ５がセキュリティ処理された後、このフォルダ５にあるメールを追加で保存した場合、このメールもセキュリティ処理されたメールとなる。
【００２９】
図２は、本発明の実施形態における、受信メールのセキュリティ処理の画面を示す画面図である。
【００３０】
まず、図２（ａ）に示すように、ユーザは、メニューキーを操作し、「セキュリティ設定・解除」画面を表示部４に表示させる。ユーザは、先に記憶部１に保存してある暗証番号と同じ暗証番号を入力し、スクロールキーにより受信フォルダまたは送信フォルダを選択し、決定する。この場合、受信メールのセキュリティ処理であるので、受信フォルダを選択する。
【００３１】
受信フォルダを選択し決定すると、図２（ｂ）に示すように、「セキュリティ設定・解除用受信フォルダ一覧」が表示部４に表示される。ユーザは、受信フォルダ５をセキュリティ処理したいため、受信フォルダ５をスクロールにより選択し、決定キーを押す。これにより、フォルダ５は、セキュリティ処理される。
【００３２】
通常の「受信フォルダ一覧」をメニューより選択し、フォルダ５を選択した場合は、フォルダ５に保存されている受信メールが表示されるが、「セキュリティ設定・解除用受信フォルダ一覧」のフォルダ５を選択しても、フォルダ５に保存されている受信メールは、表示されない。すなわち、「セキュリティ設定・解除用受信フォルダ一覧」の場合、選択されたフォルダは、セキュリティを設定するために使用され、または、選択されたフォルダがセキュリティ設定済みのフォルダの場合は、設定済みのキュリティの解除に使われる。
【００３３】
これにより図２（ｃ）に示すように＊マークが、フォルダ５に付けられる。図２（ｄ）は、「セキュリティ設定・解除用受信フォルダ一覧」ではなく、通常の「受信フォルダ一覧」である。フォルダ５にセキュリティ処理が行われた後、ユーザがメニューより、「受信フォルダ一覧」を選択すると、図（ｄ）に示すように、フォルダ５は、表示されない。
【００３４】
従って、ユーザが、通常の操作で「受信フォルダ一覧」を見る場合は、フォルダ５が表示されないので、フォルダ５に保存された受信メールのセキュリティが確保される。
【００３５】
また、ユーザは、通常の「受信フォルダ一覧」の表示されていないフォルダより、どのフォルダがセキュリティ処理されているか見ることができる。
【００３６】
さらに、「セキュリティ設定・解除」画面をメニューより選択し、暗証番号を入力し、受信フォルダを選択し、「セキュリティ設定・解除用受信フォルダ一覧」見ることにより、どのフォルダがセキュリティ処理されているか見ることができる（図２（ｃ）参照）。特に、フォルダ数が６で、フォルダ６からフォルダ４がセキュリティ処理されているような場合は、「受信フォルダ一覧」ではフォルダ１から３のみが表示され、フォルダの番号が連続であるので、セキュリティ処理フォルダが無いと誤解してしまうことを避けることができる。
【００３７】
セキュリティ処理を解除する場合は、メニューキーを操作し、「セキュリティ設定・解除」画面を表示部４に表示させる。ユーザは、先に記憶部１に保存してある暗証番号と同じ暗証番号を入力し、スクロールキーにより受信フォルダを選択し、決定する。
【００３８】
受信フォルダを選択し決定すると、フォルダ５がセキュリティ処理されている図２（ｃ）に示すように、フォルダ５に＊マークがついた「セキュリティ設定・解除用受信フォルダ一覧」が表示部４に表示される。ユーザは、フォルダ５のセキュリティ処理を解除したいため、フォルダ５をスクロールにより選択し、決定キーを押す。この操作によりフォルダ５のセキュリティは解除される。この解除により、フォルダ５に付けられていた＊マークは、削除される。
【００３９】
フォルダ５に保存されている受信メールを見る場合は、このようにセキュリティ処理を解除し、メニュー操作により通常の「受信フォルダ一覧」を選択し、フォルダ５を選択し見ることができる。
【００４０】
以上、受信メールのセキュリティ処理について説明したが、送信メールのセキュリティ処理も同様であり、「セキュリティ設定・解除」画面で、記憶部１に保存してある暗証番号と同じ暗証番号を入力し、スクロールキーにより送信フォルダを選択し、決定する。以降の操作は、受信フォルダが送信フォルダに変わっただけであり、同様である。
【００４１】
次に、図面を参照し、フォルダのセキュリティ処理の操作を詳細に説明する。先に述べたように、送信メールのセキュリティ処理と受信メールのセキュリティ処理は、「セキュリティ設定・解除」画面で、送信フォルダを選択するか受信フォルダを選択するかの違いのみであるので、受信フォルダのセキュリティ処理について説明する。
【００４２】
図３は、本発明の実施形態における受信フォルダセキュリティ設定処理を示すフローチャートである。図３を参照し、受信フォルダセキュリティ設定処理を説明する。
【００４３】
本発明は、フォルダのセキュリティ処理であるので、セキュリティ処理をしたい受信メールは受信フォルダ一覧の内のフォルダ、例えば、フォルダ５に保存されているものとする。また、フォルダセキュリティ処理用の暗証番号は、記憶部１に登録され、保存されているものとする。
【００４４】
まず、ユーザは、メニューを操作し、「セキュリティ設定・解除」画面を表示部４に表示させる（ステップＳ１）。次に、暗証番号を入力する（ステップＳ２）。制御部２は、入力された暗証番号が、記憶部２に保存されている暗証番号と一致するかどうか確認する（ステップＳ３）。暗証番号が一致した場合（ステップＳ３のＹＥＳ）、ユーザは、画面上の受信フォルダをスクロールにより選択し、決定する（ステップＳ４）。暗証番号が一致しない場合（ステップＳ３のＮＯ）、画面上の受信フォルダを選択することができず、ステップＳ２に戻り、再度暗証番号を入力する。この状態で、ある時間が経過すると、画面は、通常の待機画面に戻り、セキュリティ処理は解除される。
【００４５】
ステップＳ４で受信フォルダを選択し決定すると、画面は「セキュリティ設定・解除用受信フォルダ一覧」画面になる。この画面で、セキュリティを設定したいフォルダ（番号）を、スクロールにより選択し決定する（ステップＳ５）。ここでは、例えば、フォルダ５を選択し決定する。決定されたフォルダ、ここではフォルダ５に＊マークが付けられる（ステップＳ６）。
【００４６】
ステップＳ６で「セキュリティ設定・解除用受信フォルダ一覧」画面上でフォルダ５に＊マークが付くと、自動的に通常の「受信フォルダ一覧」画面上のフォルダ５が非表示になる（ステップＳ７）。
【００４７】
次に、受信フォルダセキュリティ解除処理を説明する。図４は、本発明の実施形態における受信フォルダセキュリティ解除処理を示すフローチャートである。図４を参照し、受信フォルダセキュリティ解除処理を説明する。
【００４８】
まず、ユーザは、メニューを操作し、「セキュリティ設定・解除」画面を表示部４に表示させる（ステップＳ１１）。次に、暗証番号を入力する（ステップＳ１２）。制御部２は、入力された暗証番号が、記憶部２に保存されている暗証番号と一致するかどうか確認する（ステップＳ１３）。暗証番号が一致した場合（ステップＳ１３のＹＥＳ）、ユーザは、画面上の受信フォルダをスクロールにより選択し、決定する（ステップＳ１４）。暗証番号が一致しない場合（ステップＳ１３のＮＯ）、画面上の受信フォルダを選択することができず、ステップＳ１２に戻り、再度暗証番号を入力する。この状態で、ある時間が経過すると、画面は、通常の待機画面に戻り、セキュリティ処理は解除される。
【００４９】
ステップＳ１４で受信フォルダを選択し決定すると、画面は「セキュリティ設定・解除用受信フォルダ一覧」画面になる。この画面で、セキュリティを解除したいフォルダ（番号）を、スクロールにより選択し決定する（ステップＳ１５）。ここでは、例えば、フォルダ５がセキュリティ設定フォルダになっているとする。すなわち、フォルダ５に＊マークが付けられており、セキュリティ設定済みフォルダが何番のフォルダであるか、画面上で確認できる。決定されたフォルダ、ここではフォルダ５の＊マークが削除される（ステップＳ１６）。
【００５０】
ステップＳ１６で「セキュリティ設定・解除用受信フォルダ一覧」画面上でフォルダ５の＊マークが解除されると、自動的に通常の「受信フォルダ一覧」画面上のフォルダ５が表示に戻る（ステップＳ１７）。
【００５１】
以上、受信フォルダのセキュリティ処理について説明したが、送信フォルダのセキュリティ設定の場合は、まず、「セキュリティ設定・解除」画面で送信フォルダが選択され決定されると、「セキュリティ設定・解除用送信フォルダ一覧」画面を表示部４に表示させ、ステップＳ５で送信のフォルダ番号を選択することにより、その送信のフォルダ番号のセキュリティ設定がおこなわれる。これにより、通常の「送信フォルダ一覧」では、セキュリティ設定された送信のフォルダ番号は非表示となる。
【００５２】
また、送信フォルダのセキュリティ解除の場合は、「セキュリティ設定・解除」画面で送信フォルダが選択され決定されると、「セキュリティ設定・解除用送信フォルダ一覧」画面を表示部４に表示させ、ステップＳ１５でセキュリティ設定されている送信のフォルダ番号を選択することにより、その送信のフォルダ番号のセキュリティ解除処理が行われる。これにより、通常の「送信フォルダ一覧」では、その番号の送信フォルダは再度、表示となる。
【００５３】
上記の説明では、「セキュリティ設定・解除」画面を選択するとしたが、この画面の名称は、そのプライバシー保護の観点から、別の名称、例えば、単に、「セキュリティ」等にしてもよい。
【００５４】
以上、説明したように、本発明の実施形態においては、第３者に見られたくない送信メールおよび受信メールをフォルダにまとめて保存し、そのフォルダにセキュリティ処理を行い、通常の「送信フォルダ一覧」および「受信フォルダ一覧」上でセキュリティ設定処理したメールフォルダを非表示とすることで、プライバシーの保護機能を高めることができる。
【００５５】
次に、本発明の他の実施形態について説明する。上記の説明では、「セキュリティ設定・解除」画面で、受信フォルダまたは送信フォルダを選択し、「セキュリティ設定・解除用受信（送信）フォルダ一覧」画面を表示部４に表示したが、まず、「セキュリティ設定・解除」画面で、受信メールまたは送信メールを選択し、「セキュリティ設定・解除用受信（送信）メール一覧」を設けることにより、個々のメール単位でセキュリティ設定・解除を行うこともできる。ここで、未送信のメールであっても、送信メール一覧に保存されているメールはセキュリティ設定・解除の対象になる。これは、先に述べた実施形態で説明した未送信のメールが送信フォルダに保存されている場合に、セキュリティの対象なるのと同様である。
【００５６】
本発明の実施形態について、上記のように詳細に説明したが、上記の実施形態は、本発明の好適な実施の形態の例であり、これに限定されるものではなく、本発明の要旨を逸脱しない範囲において種々変形して実施することが可能である。
【図面の簡単な説明】
【００５７】
【図１】本発明の実施形態である携帯電話機の構成を示すブロック図である。
【図２】本発明の実施形態における、受信メールのセキュリティ処理の画面を示す画面図である。
【図３】本発明の実施形態における受信フォルダセキュリティ設定処理を示すフローチャートである。
【図４】本発明の実施形態における受信フォルダセキュリティ解除処理を示すフローチャートである。
【符号の説明】
【００５８】
１    記憶部
２    制御部
３    無線部
４    表示部
５    操作部
６    音声処理部
【図１】
2005115492.tif 000003
【図２】
2005115492.tif 000004
【図３】
2005115492.tif 000005
【図４】
2005115492.tif 000006